(57)【要約】【課題】眼鏡フレームに容易に取り付けられ得る、取り外し可能な磁性眼鏡用眼鏡クラスプを提供する。【解決手段】眼鏡フレーム本体に旋回可能に取り付けられた左右のテンプルバーを有する。この磁性クラスプは第１のコネクタおよび第２のコネクタ；第１のコネクタ上に位置決めされた第１の磁石および第２のコネクタ上に位置決めされた第２の磁石を備える。チャネルはコネクタの各々の一部分を通って延び、そしてテンプルバーがこのチャネルを通ってスライできるように構成されている。この取り外し可能な磁性クラスプは、眼鏡に取り付けられている場合、テンプルバーが閉じているが、衣料によって離されている場合に、第１の磁石と第２の磁石とが磁気により引き付けあった状態のままにし、磁気により引き付けあった状態は、テンプルバーと衣料との間の相対的な動きを実質的に妨げるのに十分な把持力を衣料に与える。【選択図】図１
2010117738.tif 000002
【特許請求の範囲】
【請求項１】
明細書または図面に記載された発明。
【発明の詳細な説明】
【技術分野】
【０００１】
（関連出願に対する相互参照）
本願は、２００４年８月６日に出願された米国仮出願第６０／５９９，６４２号に対する優先権を主張する、２００５年８月３日に出願された、ＰＣＴ／ＵＳ２００５／０２７４６５の国内段階移行出願である。
【０００２】
（技術分野）
本発明は、眼鏡用クラスプ（ｅｙｅｇｌａｓｓｅｓ  ｃｌａｓｐ）に関する。より具体的には、本発明は、眼鏡を使用していない間に、ポケットまたは衣料（ｃｌｏｔｈｉｎｇ  ｍａｔｅｒｉａｌ）の別の部分に眼鏡を維持するための、取り外し可能な磁性の眼鏡用クラスプに関する。
【背景技術】
【０００３】
（発明の背景）
代表的な眼鏡は、ブリッジ（ｎｏｓｅ  ｐｉｅｃｅ）のいずれかの側に２つのレンズを収容する、フレーム本体から構成される。フレーム本体には、フレーム本体の２つの端部から延びる、２本のテンプルバーが取り付けられている。このテンプルバーは、フレーム本体と垂直な開いた位置と、フレーム本体と平行な閉じた位置との間で旋回する。ときおり、テンプルバーには、別個のイヤピース、すなわち、テンプルの先端部が取り付けられる。テンプルバーおよびブリッジは、装着者の頭部と接触して、フレームを支持する。
【０００４】
個人はしばしば、眼鏡を一時的に外す。彼らは、眼鏡をたたみ、どこにやったかを思い出さなかったり、首から吊り下げて、胸部に対して跳ね返ったり、ポケットの中に入れて、落としたり、そして／または壊したりすることがある。
【０００５】
この問題を解決するために、先行技術は、眼鏡を使用者によって着用される衣服に眼鏡を挟むために機械的クラスプを使用することを教示する。これらは、扱いにくく、かつ、あらゆる機械的クラスプと同様に、緩くなり得る。いくつかの機械的クラスプはまた、シャツのポケット、帽子のつば、ベルト、ホルダー、ストラップなどの性能に依存する。さらに、クリップは、最初はよく機能し得るが、疲労により、金属製のクリップが、弱くなり、かつ、その眼鏡をしっかりと保持する能力を失い得る。さらに、クリップは壊れ得、それによって、眼鏡が、緩くなったり、落ちたり、壊れたりするか、または、無くなったりする。ＭｃＣｏｒｍｉｃｋに対する米国特許第６，０１７，１２０号（特許文献１）は、テンプルバーの蝶番のある端に取り付けられた機械的クリップを教示する。このような機械的クリップを使用する眼鏡は、逆さになる場合（例えば、人間が、腰を曲げる場合）に、適所にはしっかりと保持され得ない。このようなクリップに関する別の問題は、座っている人間が前かがみになり、クラスプがシャツのポケット内にあるまま、眼鏡が上向きに押し出される際に生じる。この状況において、クリップは、ポケットの底から押し出され得、それによって、クリップが外れて、眼鏡がポケットから落ちる。
【０００６】
種々の目的のために、眼鏡フレームに磁石を使用することがまた、当該分野で周知である。例えば、多数の眼鏡フレームは、健康上の利益のために、使用者に磁気を帯びさせる磁石を有する。他の眼鏡フレームは、眼鏡フレームセクションを一緒に保持し、それによって、補助フレーム、レンズなどを用いる新しい配置における分解および再構築を容易にするために、磁石を使用する。Ｄｕｐｒａｚらに対する米国特許第６，１６８，２７３  Ｂ１１号（特許文献２）は、磁気手段を有する支持物品上に眼鏡を一時的に固定するための、眼鏡フレーム上での磁石の使用を教示する。けれども、Ｄｕｐｒａｚらにおける磁石は、ヒンジの近くのテンプルバーに取り付けられているので、その教示は、磁性クラスプとしての使用ではなく、このような磁性クラスプとしても意図されていない。
【先行技術文献】
【特許文献】
【０００７】
【特許文献１】米国特許第６，０１７，１２０号明細書
【特許文献２】米国特許第６，１６８，２７３号明細書
【発明の概要】
【発明が解決しようとする課題】
【０００８】
テンプルバーと衣料との間の相対的な動きを実質的に妨げるのに十分な把持力を衣料に提供する、眼鏡フレームに容易に取り付けられ得る、取り外し可能な磁性眼鏡用眼鏡クラスプを提供することが望ましい。
【課題を解決するための手段】
【０００９】
（簡単な要旨）
本発明は、眼鏡用の、取り外し可能な磁性クラスプに関する。眼鏡は、眼鏡フレーム本体に旋回可能に取り付けられた右のテンプルバーおよび左のテンプルバーを有する。磁性クラスプは、第１のコネクタおよび第２のコネクタ；第１のコネクタ上に位置決めされた第１の磁石および第２のコネクタ上に位置決めされた第２の磁石を備える。チャネルは、コネクタの各々の一部分を通って延び、そして、テンプルバーがこのチャネルを通ってスライドすることができるように構成されている。この取り外し可能な磁性クラスプは、眼鏡に取り付けられている場合、テンプルバーが閉じているが、衣料によって引き離されている場合に、第１の磁石と第２の磁石とが磁気により引き付けあった状態（ａｔｔｒａｃｔｉｖｅ  ｍａｇｎｅｔｉｃ  ｃｏｍｍｕｎｉｃａｔｉｏｎ）にあるままにし、磁気により引き付けあった状態は、テンプルバーと衣料との間の相対的な動きを実質的に妨げるのに十分な把持力を衣料に与える。
【００１０】
磁石は、射出成形、溝付きの手段、接着剤による手段収縮包装チュービング、ヒンジ式クリップ、金属製クランプ、ねじ切り式の金物、およびこれらの組み合わせからなる群より選択される取り付け手段によって、コネクタに取り付けられている。
【００１１】
コネクタは、変形可能な材料から形成される。
【００１２】
磁石の形状は、円形、四角形、矩形、円筒形および三角形の形状であり得る。
【００１３】
取り外し可能なクラスプは、さらに、第１の端部に第１のネックレスの磁石が取り付けられ、第２の端部に第２のネックレスの磁石が取り付けられた、眼鏡用ネックレスを備える。この第１のネックレスの磁石は、磁気により引き付けあった状態によって第１のコネクタ上の第１の磁石に付着し、そして、第２のネックレスの磁石は、磁気によって引き付けあった状態によって、第２のコネクタ上の第２の磁石に付着している。
【００１４】
ネックレスは、金属、プラスチック、ゴムおよびネオプレンのような材料から形成され得る。
【００１５】
第１のネックレスの磁石および第２のネックレスの磁石は、接着剤または射出成形によって、第１のネックレスおよび第２のネックレスに取り付けられている。
【００１６】
本発明はまた、取り外し可能な磁性クラスプの眼鏡キットにも関する。このキットは、第１のコネクタおよび第２のコネクタ；第１のコネクタ上に位置決めされた第１の磁石および第２のコネクタ上に位置決めされた第２の磁石；ならびにコネクタの各々の一部分を通って延びるチャネルを備える。このチャネルは、テンプルバーが、チャネルを通ってスライドすることができるように構成されている。この取り外し可能な磁性クラスプは、眼鏡に取り付けられている場合、テンプルバーが閉じているが、衣料によって引き離されている場合に、第１の磁石と第２の磁石とが磁気により引き付けあった状態にあるままにし、磁気により引き付けあった状態は、テンプルバーと衣料との間の相対的な動きを実質的に妨げるのに十分な把持力を衣料に与える。
【００１７】
このキットはさらに、第１の端部に第１のネックレスの磁石が取り付けられ、第２の端部に第２のネックレスの磁石が取り付けられた、眼鏡用ネックレスを備え；ここで、第１のネックレスの磁石は、磁気により引き付けあった状態によって、第１のコネクタ上の第１の磁石に付着し、そして、第２のネックレスの磁石は、磁気によって引き付けあった状態によって、第２のコネクタ上の第２の磁石に付着している。
【００１８】
本発明はさらに、眼鏡上に取り外し可能な磁性の眼鏡用クラスプを装着する方法に関する。この方法は、（１）眼鏡フレームに旋回可能に取り付けられた右のテンプルバーおよび左のテンプルバーを有する眼鏡を提供する工程；（２）第１のコネクタおよび第２のコネクタ、第１のコネクタ上に位置決めされた第１の磁石および第２のコネクタ上に位置決めされた第２の磁石、ならびにコネクタの各々の一部分を通って延び、テンプルバーが、チャネルを通ってスライドすることができるように構成されているチャネルを備える、取り外し可能な磁性の眼鏡用クラスプを提供する工程；（３）テンプルバーの外側に向く磁石の極が同じになるように、テンプルバーの各々の上にコネクタをスライドさせる工程；ならびに（４）テンプルバーが閉じた位置にあるときに、コネクタが互いに整列するように、テンプルバーの上にコネクタを位置決めする工程を包含する。
【図面の簡単な説明】
【００１９】
実施例のより詳細な説明については、ここで、添付の図面に対して参照がなされる。
【図１】図１は、眼鏡が装着されているときの、テンプルバーが開いた位置に旋回された、取り外し可能な眼鏡用クラスプを組み込んだ、眼鏡の斜視図である。
【図２】図２は、テンプルバーの一方が閉じた位置に旋回された、取り外し可能な眼鏡用クラスプを組み込んだ、眼鏡の斜視図である。
【図３】図３は、テンプルバーが閉じた位置に旋回された、取り外し可能な眼鏡用クラスプを組み込んだ、眼鏡の底面図である。
【図４】図４は、テンプルバーが閉じた位置に旋回された、取り外し可能な眼鏡用クラスプを組み込んだ、眼鏡の底面図であり、衣料と共にこのクラスプを使用した状態を示す。
【図５】図５は、取り外し可能な眼鏡用クラスプのコネクタの拡大図である。
【図５Ａ】図５Ａは、図５の線５Ａ−５Ａに沿って取った断面図である。
【図６】図６は、取り外し可能な眼鏡用クラスプの代替的なコネクタの拡大図である。
【図６Ａ】図６Ａは、図６の線６Ａ−６Ａに沿って取った断面図であり、磁石が片側にある場合を示す。
【図６Ｂ】図６Ｂは、図６の代替的な断面図であり、磁石が両側にある場合を示す。
【図７】図７は、取り外し可能な眼鏡用クラスプの代替的なコネクタの拡大図である。
【図７Ａ】図７Ａは、図７の線７Ａ−７Ａに沿って取った断面図である。
【図８】図８は、任意の眼鏡用ネックレスを伴った、取り外し可能な眼鏡用クラスプの斜視図である。
【発明を実施するための形態】
【００２０】
（発明の詳細な説明）
図面および以下の説明において、類似の部品は、明細書および図面の全体にわたり、それぞれ、同じ参照番号で印をつける。図面は、必ずしも等尺ではない。本発明の特定の形状は、等尺でか、または、いくらか概略的な形態で誇張されて示され得、そして、いくつかの従来の要素の細部は、明瞭にし、そして、簡潔にする目的で示されないことがある。本発明は、異なる形態の実施形態に対しても当てはめられる。特定の実施形態が詳細に説明され、そして、図面に示されるが、本開示は、本発明の原理の例示であるものと解釈されるべきであり、そして、本明細書中に例示および記載されるものに対して本発明が制限されることは意図されないことが理解される。以下の考察する実施形態の種々の教示は、所望の結果をもたらすために、別個にまたはあらゆる適切な組み合わせで使用され得ることが十分に認識されるべきである。用語「接続する」、「係合する」、「結合する」、「取り付ける」または要素間の相互関係を記述するあらゆる他の用語のあらゆる形態を使用することは、その相互関係を、要素間の直接的な相互関係に制限することを意味するものではなく、これらはまた、記載される要素間の間接的な相互関係をも包含し得る。上述の種々の特徴、ならびに、以下により詳細に記載される他の形状および特徴は、以下の実施形態の詳細な説明を読み、そして、添付の図面を参照することによって、当業者に容易に明らかとなる。
【００２１】
取り外し可能な眼鏡用クラスプは、眼鏡のテンプルバーに係合された磁石を備える。この磁石は、閉じた位置にある場合に、フレーム本体の中点と整列するように、各テンプルバーの上に、眼鏡フレーム本体からほぼ同じ距離だけ離れて配置される。この磁石は、少なくとも、テンプルバーが閉じた位置にある場合に、磁気により引き付けあった状態にある。クラスプは、眼鏡のテンプルバーの上のクラスプをスライドさせるのに十分大きな、クラスプを通って延びるチャネルを備える。
【００２２】
クラスプは、代表的には、閉じた位置へとテンプルバーの一方を旋回することによって使用される。次いで、フレーム本体および閉じられたテンプルバーが、衣料（例えば、非限定的な例として、シャツのポケットまたは袖）の片側に位置付けられる。次いで、第２のテンプルバーが、衣料のもう一方の側にくるように、閉じた位置へと旋回される。次いで、磁石が、磁気により引き付けあった状態になり、衣料に把持力を与える。把持力は、テンプルバーと衣料との間の相対的な動きを実質的に妨げる。磁性クラスプは、これによって、磁石が、衣料を通して磁気により引き付けあった状態になるのに十分強力であり得る場所のいずれにおいても、容易に開閉し得るという、強力な汎用性のあるクラスプの利点を導入しつつ、機械的クリップの不利益を排除する。
【００２３】
図１〜８は、取り外し可能な眼鏡用クラスプ１０４の一実施形態を例示する。眼鏡フレーム本体１１４は、代表的には、あらゆる適切な手段によって旋回可能に取り付けられた、右のテンプルバー１００および左のテンプルバー１０２を備える。テンプルバー１００、１０２は、当該分野で周知のばね作用するヒンジを用いて旋回可能に取り付けられ得る。テンプルバー１００、１０２は、図１に示される開いた位置から、図３に示される閉じた位置へと旋回する。さらに、テンプルバー１００、１０２は、イヤピース、すなわち、テンプルの先端部を備え得る。フレーム本体１１４はまた、ブリッジ１１２を備え得る。
【００２４】
取り外し可能な眼鏡用クラスプ１０４はさらに、第１のコネクタ１２０および第２のコネクタ１２４を備える。コネクタ１２０、１２４は、各テンプルバー１００、１０２を、コネクタ１２０、１２４の各々の内部にあるチャネル１２２を通してスライドさせることによって、テンプルバーと係合している。図５および図５Ａは、コネクタ１２０内にあるチャネル１２２を例示する。
【００２５】
第１のコネクタ１２０はさらに、第１の磁石１０６を備え、そして、第２のコネクタ１２４は、第２の磁石１０８を備える。磁石１０６、１０８をコネクタ１２０、１２４に係合させるための手段は、磁石１０６、１０８とコネクタ１２０、１２４が作製された材料に依存し得る。磁石１０６、１０８を、それぞれのコネクタ１２０、１２４に取り付けるためのあらゆる適切な材料および方法が使用され得ることが理解されるべきである。このような種々の材料のための取り付け手段としては、溝付きの手段、接着剤による手段、収縮包装チュービング、ヒンジ式クリップ、金属製クランプ、ねじ切り式の金物など、および／またはこれらの組み合わせが挙げられ得る。磁石１０６、１０８はまた、コネクタ１２０、１２４内に射出成形され得る。磁石は、円形、正方形、矩形、円筒形または三角形の形状のように、あらゆる形状であり得る。
【００２６】
テンプルバー１００、１０２と係合された場合、図１に示される、テンプルバー１００、１０２の外側に向く磁石１０６、１０８の極は、同じである。コネクタ１２０、１２４は、テンプルバー１００、１０２が閉じた位置にある場合に、磁石１０６、１０８が互いに整列するように、テンプルバー１００、１０２と係合する。こうして、図３に例示されるように、テンプルバー１００、１０２が閉じた位置に旋回される場合、磁石１０６、１０８は、磁石１０６、１０８の逆の極によって生じる、磁気により引き付けあった状態にある。図３は、右のテンプルバー１００の内側に折り畳まれた左のテンプルバー１０２を示す。こうして、磁石１０６のＳ極側１１６は、磁石１０８のＮ極側１１８に面してこれと整列し、それによって、テンプルバー１００、１０２を、閉じた位置にしっかりと保持する。磁石は、図１〜図５Ａに例示されるように、オフセットされる必要はないが、磁石はまた、図６、図６Ａおよび図６Ｂに例示されるように、テンプルバー１００、１０２とよりインラインになって配置され得る。図６Ａは、コネクタの片側に磁石１０６を有するコネクタ１２０を例示し、そして、図６Ｂは、コネクタの両側に磁石１０６を有するコネクタ１２０を例示する。
【００２７】
図７、図７Ａに例示されるような代替的な実施形態において、取り外し可能な眼鏡用クラスプ１０４ａは、ほぼ正方形の形状の第１のコネクタ１２０ａおよび第２のコネクタ１２４ａ（第２のコネクタ１２４ａは、コネクタ１２０ａと同一であるので、図示していない）を備える。コネクタ１２０ａ、１２４ａは、コネクタの各々の内部にあるチャネル１２２ａ内にテンプルバーをスライドさせることによって、テンプルバー１００、１０２と係合している。コネクタ１２０ａ、１２４ａは、第１の端部１４６および第２の端部１４８を有し、これらのコネクタにおいて、円筒形の磁石１０６ａ、１０８ａ（磁石１０８ａは図示していない）が、各コネクタ１２０ａ、１２４ａの第２の端部に取り付けられている。好ましい実施形態において、磁石１０６ａ、１０８ａは、コネクタ１２０ａ、１２４ａの第２の端部１４８と同じ長さである。磁石１０６ａ、１０８ａをコネクタ１２０ａ、１２４ａに係合させるために手段１５０は、磁石１０６ａ、１０８ａおよびコネクタ１２０ａ、１２４ａが作製された材料に依存し得る。磁石１０６ａ、１０８ａを、それぞれのコネクタ１２０ａ、１２４ａに取り付けるためのあらゆる適切な材料および方法が使用され得ることが理解されるべきである。このような種々の材料のための取り付け手段としては、溝付きの手段、接着剤による手段、収縮包装チュービング、ヒンジ式クリップ、金属製クランプ、ねじ切り式の金物など、および／またはこれらの組み合わせが挙げられ得る。磁石１０６ａ、１０８ａはまた、コネクタ１２０ａ、１２４ａ内に射出成形され得る。
【００２８】
コネクタ１２０、１２４、１２０ａ、１２４ａは、テンプルバー１００、１０２へと接続するために、あらゆる適切な材料から作製され得る。非限定的な例として、コネクタは、テンプルバー１００、１０２と係合した状態で、必要に応じて伸縮し得るように、ゴムまたは他の変形可能な物質から作製され得る。しかし、コネクタは、必ずしも伸縮しない。コネクタ１２０、１２４、１２０ａ、１２４ａは、一旦適所に配置されると、摩擦によって、テンプルバー１００、１０２上の適所に留まるようなサイズであり得る。コネクタはまた、テンプルバー１００、１０２の長さに沿ってスライドすることができ得る。コネクタは、必ずしも任意の特定の形状である必要はない。例えば、コネクタは、図６に例示される形状に形成されても、正方形もしくは矩形の形状であってもよい。
【００２９】
図４（全ての実施形態に適用する）を参照すると、装着者は、使用時に、テンプルバー１００、１０２の一方を閉じた位置へと旋回させる。装着者は、次いで、眼鏡フレーム本体１１４および閉じられたテンプルバーを、生地１１０の片側に位置決めする。装着者は、次いで、もう一方のテンプルバーが、生地１１０のもう一方の側にくるように、もう一方のテンプルバーを閉じた位置へと旋回させる。テンプルバー１００、１０２が閉じられると、磁石１０６は、磁石１０８と整列する。生地１１０のいずれかの側であっても、磁石１０６、１０８は、互いに磁気により引き付けあった状態にある。磁気により引き付けあった状態は、生地１１０に把持力を与え、それによって、眼鏡１１４を生地１１０に対してしっかりと留めたまま保持するのに十分強い。把持力は、ほぼ通常の活動時に、少なくとも実質的に、生地１１０上の適所に眼鏡１１４を維持するのに十分である。磁石１０６、１０８はまた、この強度を維持することが可能である。なぜならば、磁束は、繰り返しの使用によって消失しないからである。テンプルバー１００または１０２のいずれかが、もう一方よりも前に閉じた位置に旋回され得、これも、なお、本発明の範囲内であることが理解されるべきである。
【００３０】
図８を参照して、眼鏡用クラスプ１０４はまた、代替的には、第１の端部１４１および第２の端部１４３、ならびに、第１の端部１４１に取り付けられた第１の磁石１４２、ならびに、第２の端部１４３に取り付けられた第２の磁石１４４を有する、眼鏡用ネックレス１４０を備え得る。このネックレスはまた、ストラップまたは他の適切な構成であり得る。磁石１４２、１４４は、コネクタ１２０、１２２内の磁石１０６、１０８により磁気によって引き付けられ、適所に保持される。使用者は、次いで、眼鏡１１４を外し、首の周りにぶら下げるか、または、保管のための別のデバイスの中に入れ得る。このようにして、使用者は、ネックレスを取り付けるという機会があれば、取り外し可能なネックレス１４０を取り付けるという選択肢を有する。磁石１４２、１４４は、あらゆる適切な手段によってネックレス１４０に取り付けられ得る。非限定的な例として、磁石１４２、１４４は、接着剤または射出成形によて、ネックレス１４０に取り付けられ得る。ネックレス１４０はまた、あらゆる適切な材料から作製され得る。非限定的な例として、ネックレス１４０は、金属、プラスチック、ゴムまたはネオプレンから作製され得る。
【００３１】
眼鏡用クラスプ１０４はまた、それぞれ、磁石１０６、１０８、１０６ａ、１０８ａを有するコネクタ１２０、１２４、１２０ａ、１２４ａを備える、「キット」の形態を包含し得る。必要に応じて、このキットはまた、ネックレス１４０も備え得る。コネクタ１２０、１２４、１２０ａ、１２４ａは、次いで、あらゆる適切な眼鏡フレームのテンプルバーに取り付けられ得る。
【００３２】
特定の実施形態が、示され、そして記載されてきたが、本発明の精神または教示から逸脱することなく、改変が当業者によってなされ得る。記載される実施形態は、例示的なものであり、限定するものではない。多くのバリエーションおよび改変が可能であり、これらは、本発明の範囲内である。従って、保護範囲は、記載される実施形態に制限されるべきではなく、添付の特許請求の範囲によってのみ制限され、特許請求の範囲は、請求項の主題のあらゆる等価物を包含する。
本発明の好ましい実施形態によれば、以下のものなどが提供される。
（項１）
眼鏡用の取り外し可能な磁性クラスプであって、該眼鏡は、眼鏡フレーム本体に旋回可能に取り付けられた右のテンプルバーおよび左のテンプルバーを有し、該磁性クラスプは、以下：
第１のコネクタおよび第２のコネクタ；
該第１のコネクタ上に位置決めされた第１の磁石および該第２のコネクタ上に位置決めされた第２の磁石；ならびに
該コネクタの各々の一部分を通って延びるチャネルであって、該テンプルバーが、該チャネルを通ってスライドすることができるように構成されている、チャネル；
を備え、該取り外し可能な磁性クラスプは、眼鏡に取り付けられている場合、該テンプルバーが閉じているが、衣料によって引き離されている場合に、該第１の磁石と該第２の磁石とが磁気により引き付けあった状態にあるままにし、該磁気により引き付けあった状態は、該テンプルバーと該衣料との間の相対的な動きを実質的に妨げるのに十分な把持力を該衣料に与える、クラスプ。
（項２）
前記磁石が、射出成形のような取り付け手段によって前記コネクタに取り付けられている、上記項１に記載の取り外し可能なクラスプ。
（項３）
前記磁石が、前記コネクタ内の溝のような取り付け手段によって該コネクタに取り付けられている、上記項１に記載の取り外し可能なクラスプ。
（項４）
前記磁石が、接着剤のような取り付け手段によって前記コネクタに取り付けられている、上記項１に記載の取り外し可能なクラスプ。
（項５）
前記磁石が、収縮包装チュービングのような取り付け手段によって前記コネクタに取り付けられている、上記項１に記載の取り外し可能なクラスプ。
（項６）
前記磁石が、ヒンジ式クリップのような取り付け手段によって前記コネクタに取り付けられている、上記項１に記載の取り外し可能なクラスプ。
（項７）
前記磁石が、金属製クランプのような取り付け手段によって前記コネクタに取り付けられている、上記項１に記載の取り外し可能なクラスプ。
（項８）
前記磁石が、ねじ切り式の金物のような取り付け手段によって前記コネクタに取り付けられている、上記項１に記載の取り外し可能なクラスプ。
（項９）
前記コネクタが、変形可能な材料から形成される、上記項１に記載の取り外し可能なクラスプ。
（項１０）
前記磁石の形状が円形である、上記項１に記載の取り外し可能なクラスプ。
（項１１）
前記磁石の形状が四角形である、上記項１に記載の取り外し可能なクラスプ。
（項１２）
前記磁石の形状が矩形である、上記項１に記載の取り外し可能なクラスプ。
（項１３）
前記磁石の形状が円筒形である、上記項１に記載の取り外し可能なクラスプ。
（項１４）
上記項１に記載の取り外し可能なクラスプであって、さらに、以下：
第１の端部に第１のネックレスの磁石が取り付けられ、第２の端部に第２のネックレスの磁石が取り付けられた、眼鏡用ネックレス
を備え、該第１のネックレスの磁石は、磁気により引き付けあった状態によって、前記第１のコネクタ上の第１の磁石に付着し、そして、該第２のネックレスの磁石は、磁気によって引き付けあった状態によって、前記第２のコネクタ上の第２の磁石に付着している、クラスプ。
（項１５）
前記ネックレスが、金属から形成される、上記項１４に記載の取り外し可能なクラスプ。
（項１６）
前記ネックレスが、プラスチックから形成される、上記項１４に記載の取り外し可能なクラスプ。
（項１７）
前記ネックレスが、ネオプレンから形成される、上記項１４に記載の取り外し可能なクラスプ。
（項１８）
眼鏡用の取り外し可能な磁性クラスプであって、該眼鏡は、眼鏡フレーム本体に旋回可能に取り付けられた右のテンプルバーおよび左のテンプルバーを有し、該磁性クラスプは、以下：
第１のコネクタおよび第２のコネクタ；
該第１のコネクタ上に位置決めされた第１の磁石および該第２のコネクタ上に位置決めされた第２の磁石；
該コネクタの各々の一部分を通って延びるチャネルであって、該テンプルバーが、該チャネルを通ってスライドすることができるように構成されている、チャネル；ならびに
第１の端部に第１のネックレスの磁石が取り付けられ、第２の端部に第２のネックレスの磁石が取り付けられた、眼鏡用ネックレスであって、該第１のネックレスの磁石は、磁気により引き付けあった状態によって、該第１のコネクタ上の第１の磁石に付着し、そして、該第２のネックレスの磁石は、磁気によって引き付けあった状態によって、該第２のコネクタ上の第２の磁石に付着している、眼鏡用ネックレス；
を備え、該取り外し可能な磁性クラスプは、眼鏡に取り付けられている場合、該テンプルバーが閉じているが、衣料によって引き離されている場合に、該第１の磁石と該第２の磁石とが磁気により引き付けあった状態にあるままにし、該磁気により引き付けあった状態は、該テンプルバーと該衣料との間の相対的な動きを実質的に妨げるのに十分な把持力を該衣料に与える、クラスプ。
（項１９）
前記磁石が、前記コネクタ内の溝のような取り付け手段によって該コネクタに取り付けられている、上記項１８に記載の取り外し可能なクラスプ。
（項２０）
前記磁石が、ヒンジ式クリップのような取り付け手段によって前記コネクタに取り付けられている、上記項１８に記載の取り外し可能なクラスプ。
（項２１）
前記コネクタが、変形可能な材料から形成される、上記項１８に記載の取り外し可能なクラスプ。
（項２２）
前記磁石の形状が円形である、上記項１８に記載の取り外し可能なクラスプ。
（項２３）
前記磁石の形状が円筒形である、上記項１８に記載の取り外し可能なクラスプ。
（項２４）
前記第１のネックレスの磁石および前記第２のネックレスの磁石が、接着剤によって、前記第１のネックレスの端部および前記第２のネックレスの端部に取り付けられている、上記項１８に記載の取り外し可能なクラスプ。
（項２５）
取り外し可能な磁性クラスプの眼鏡キットであって、該キットは、以下：
第１のコネクタおよび第２のコネクタ；
該第１のコネクタ上に位置決めされた第１の磁石および該第２のコネクタ上に位置決めされた第２の磁石；ならびに
該コネクタの各々の一部分を通って延びるチャネルであって、該テンプルバーが、該チャネルを通ってスライドすることができるように構成されている、チャネル；
を備え、該取り外し可能な磁性クラスプは、眼鏡に取り付けられている場合、該テンプルバーが閉じているが、衣料によって引き離されている場合に、該第１の磁石と該第２の磁石とが磁気により引き付けあった状態にあるままにし、該磁気により引き付けあった状態は、該テンプルバーと該衣料との間の相対的な動きを実質的に妨げるのに十分な把持力を該衣料に与える、キット。
（項２６）
前記磁石が、接着剤のような取り付け手段によって前記コネクタに取り付けられている、上記項２５に記載のキット。
（項２７）
前記磁石が、ヒンジ式クリップのような取り付け手段によって前記コネクタに取り付けられている、上記項２５に記載のキット。
（項２８）
前記コネクタが、変形可能な材料から形成される、上記項２５に記載のキット。
（項２９）
前記磁石の形状が円形である、上記項２５に記載のキット。
（項３０）
前記磁石の形状が円筒形である、上記項２５に記載のキット。
（項３１）
上記項２５に記載のキットであって、さらに、以下：
第１の端部に第１のネックレスの磁石が取り付けられ、第２の端部に第２のネックレスの磁石が取り付けられた、眼鏡用ネックレス
を備え、該第１のネックレスの磁石は、磁気により引き付けあった状態によって、前記第１のコネクタ上の第１の磁石に付着し、そして、該第２のネックレスの磁石は、磁気によって引き付けあった状態によって、前記第２のコネクタ上の第２の磁石に付着している、キット。
（項３２）
前記ネックレスが、プラスチックから形成される、上記項３１に記載のキット。
（項３３）
前記ネックレスが、ゴムから形成される、上記項３１に記載のキット。
（項３４）
前記第１のネックレスの磁石および前記第２のネックレスの磁石が、接着剤によって、前記第１のネックレスの端部および前記第２のネックレスの端部に取り付けられている、上記項３１に記載のキット。
（項３５）
前記第１のネックレスの磁石および前記第２のネックレスの磁石が、射出成形によって、前記第１のネックレスの端部および前記第２のネックレスの端部に取り付けられている、上記項３１に記載のキット。
（項３６）
取り外し可能な磁性クラスプの眼鏡キットであって、該キットは、以下：
第１のコネクタおよび第２のコネクタ；
該第１のコネクタ上に位置決めされた第１の磁石および該第２のコネクタ上に位置決めされた第２の磁石；
該コネクタの各々の一部分を通って延びるチャネルであって、該テンプルバーが、該チャネルを通ってスライドすることができるように構成されている、チャネル；ならびに
第１の端部に第１のネックレスの磁石が取り付けられ、第２の端部に第２のネックレスの磁石が取り付けられた、眼鏡用ネックレスであって、該第１のネックレスの磁石は、磁気により引き付けあった状態によって、該第１のコネクタ上の第１の磁石に付着し、そして、該第２のネックレスの磁石は、磁気によって引き付けあった状態によって、該第２のコネクタ上の第２の磁石に付着している、眼鏡用ネックレス；
を備え、該取り外し可能な磁性クラスプは、眼鏡に取り付けられている場合、該テンプルバーが閉じているが、衣料によって引き離されている場合に、該第１の磁石と該第２の磁石とが磁気により引き付けあった状態にあるままにし、該磁気により引き付けあった状態は、該テンプルバーと該衣料との間の相対的な動きを実質的に妨げるのに十分な把持力を該衣料に与える、キット。
（項３７）
前記磁石が、射出成形のような取り付け手段によって前記コネクタに取り付けられている、上記項３６に記載のキット。
（項３８）
前記コネクタが、変形可能な材料から形成される、上記項３６に記載のキット。
（項３９）
前記磁石の形状が円形である、上記項３６に記載のキット。
（項４０）
前記磁石の形状が円筒形である、上記項３６に記載のキット。
【図１】
2010117738.tif 000003
【図２】
2010117738.tif 000004
【図３】
2010117738.tif 000005
【図４】
2010117738.tif 000006
【図５】
2010117738.tif 000007
【図５Ａ】
2010117738.tif 000008
【図６】
2010117738.tif 000009
【図６Ａ】
2010117738.tif 000010
【図６Ｂ】
2010117738.tif 000011
【図７】
2010117738.tif 000012
【図７Ａ】
2010117738.tif 000013
【図８】
2010117738.tif 000014